(57)【要約】電気で作動する空気圧制御弁（１１）のマニホールド取り付けシステム（１０）は、弁のマニホールドへの単純な直線に沿った接続動作に応じる、プッシュオン式スナップ係止ラッチ構造（４３、５６）を有している。このシステムは、端部プレート、スクリューねじ、Ｏリング、ガスケット等の必要性を完全に無くし、同時にプラグイン式の電気接続の適用により配線による接続も不要である。手動押しボタンで解除して、弁（１１）をマニホールド（１０）から同様に簡単に外すことができる。
2005522652.tif 000002
【特許請求の範囲】
【請求項１】
流体入口及び出口開孔が設けられた取り付け面を備えている収容弁本体を有するタイプの流体制御弁に用いるマニホールド取り付けシステムであって、
複数の弁本体のための取着面を有し、前記取着面が流体入口及び出口コネクタ群をそれぞれ有する面部を含み、この群それぞれが、前記面及び面部にほぼ垂直な線に沿った、この面及び面部の相対的な相互接続動作に応じて、弁取り付け面の前記流体入口及び出口開孔に流体接続を構成するために適用される、そんなマニホールド本体と、
前記接続動作に応じて前記流体接続を完了し、かつ前記弁本体を前記マニホールド本体に面と面とを合わせた状態で係合させるための係止位置を確立するラッチ機構と、を備え、
前記ラッチ機構は、手動による偏向に応じて、マニホールドからの分離及び取り外しのために弁本体を解除する、ことを特徴とするマニホールド取り付けシステム。
【請求項２】
前記ラッチ機構は、前記マニホールドの前記取着面部にスライド可能に取り付けられた、前記取着面部の平面内で前記係止位置と解除位置との間を移動可能なラッチプレートと、
前記係止位置で前記弁本体のスロットに収容されるように適用される、前記ラッチプレートの抜け止めと、
前記ラッチプレートを前記係止位置に向かって偏らせ、前記ラッチプレートと前記マニホールド本体とを相互接続するように作用する弾性体バイアス装置と、を備えていることを特徴とする請求項１記載のシステム。
【請求項３】
前記マニホールド面部は、スライドプレートが移動するラインに平行に延び、アンダーカットされた係止面を両側に有するラッチプレート軌道を備え、前記ラッチプレートは、前記係止面とありつぎ状態でスライド可能に係合するよう適用される、相補形の傾斜側縁面を有している、ことを特徴とする請求項２記載のシステム。
【請求項４】
前記ラッチプレート抜け止めは、前記ラッチプレートの長さ方向両端から上方に延びる一対のフック部材を有し、前記弁本体は、前記接続動作に応じて、前記ラッチプレートの前記解除位置で、前記フック部材と整合する一対の係止凹部を備えていて、前記フックは、前記ラッチプレートの前記係止位置への偏り移動に応じて、前記凹部と抜け止め係合するように移動可能である、ことを特徴とする請求項２記載のシステム。
【請求項５】
前記バイアス装置は、前記ラッチプレートの一端と、前記マニホールド本体の端面との間に保持されている圧縮スプリングを有している、ことを特徴とする請求項４記載のシステム。
【請求項６】
前記フック部材又は前記係止凹部は、傾斜した導入面を有し、この導入面は、接続動作に応じて、前記バイアス装置に、反バイアス力を加えるように作用し、最初に、前記ラッチプレートを前記解除位置に移動させる、ことを特徴とする請求項４記載のシステム。
【請求項７】
前記マニホールド本体の前記取着面部の前記流体入口及び出口コネクタは、前記面部にほぼ垂直に延びる一体的な筒状延長部を備えていて、この筒状延長部は、前記弁本体取り付け面のそれぞれの前記流体入口及び出口開孔に収容されるように適用される、ことを特徴とする請求項２記載のシステム。
【請求項８】
前記筒状延長部は、前記弁本体と前記マニホールド面部を最初に整合させるために、前記抜け止めよりもさらに前記面部から延びている、ことを特徴とする請求項７記載のシステム。
【請求項９】
前記弁本体取り付け面は、プラグイン式電気コネクタを備え、前記マニホールド取着面部は前記電気コネクタ用の相補形のコンタクトスロットを有している、ことを特徴とする請求項８記載のシステム。
【請求項１０】
前記マニホールド本体内部に取り付けられ、前記マニホールド面部の前記コンタクトスロットに電気的接続を提供する母線体をさらに備えている、ことを特徴とする請求項９記載のシステム。
【請求項１１】
前記マニホールド本体は、一端側に共通流体入口及び出口セクションを有していて、この共通流体入口及び出口セクションは、共通流体供給入口、共通流体排出出口及び前記母線体用の共通コネクタを備えている、ことを特徴とする請求項１０記載のシステム。
【請求項１２】
前記マニホールド面部の前記入口及び出口コネクタ群はそれぞれ、供給コネクタ、排出コネクタ及びパイロット供給コネクタを備えていて、前記マニホールド本体共通セクションは共通パイロット流体供給入口を有している、ことを特徴とする請求項１１記載のシステム。
【発明の詳細な説明】
【技術分野】
【０００１】
本発明は、複数の流体制御弁を共通のマニホールドに取り付けるためのシステムに関し、より具体的には、空気接続（ｐｎｅｕｍａｔｉｃ  ｃｏｎｎｅｃｔｉｏｎｓ）及び電気接続（ｅｌｅｃｔｒｉｃａｌ  ｃｏｎｎｅｃｔｉｏｎｓ）両方のためのプラグイン式接続を含む、空気圧制御弁（ｐｎｅｕｍａｔｉｃ  ｃｏｎｔｒｏｌ  ｖａｌｖｅｓ）のプラグイン式取り付けシステムに関する。
【０００２】
空気圧制御弁をマニホールドに接続することは周知であり、多数の装置の作動のために空気圧を供給する便利でかつ費用効率の高い方法を提供している。このようなマニホールドは、典型的には、弁すべてに共通の空気供給チャネル及び排気チャネルを有し、並んで取り付けられた複数の空気圧弁を支持するものである。このマニホールドはまた、共通のパイロット圧力供給管を含むことができる。また、弁ソレノイド等に作動電力を供給するための、それぞれの弁への個別の電気接続を有する共通の電力供給ラインをマニホールドに設けることも知られている。弁スタックアッセンブリのための空気圧供給マニホールドの一先行技術が、米国特許５，３４１，８４６号に示されている。
【０００３】
マニホールドシステムの先行技術では、まだ、接続端部プレート（ｃｏｎｎｅｃｔｉｎｇ  ｅｎｄ  ｐｌａｔｅｓ）、スクリューねじ、Ｏリング、ガスケット及び係止クリップの使用が必要であり、これらのすべてが、弁のマニホールドへの取り付け及びマニホールドからの取り外しをさらに複雑にしている。上記の特許はまた、空気圧弁の入口ポート及び出口ポートへのコレット構造を開示しているが、これによりマニホールドへの接続も含めて、空気接続が簡素化されている。さらに、米国特許５，２２２，７１５号及び６，０１６，８３８号は、半体シェル構造を用いた独特の空気圧弁構造を示していて、この半体シェル構造では、２つの鏡像をなす半体で流路及び内部コンポーネント区画をシェル内に形作ることができるようになっていて、シェル同士が超音波で溶着される前に、弁エレメントがシェル内に挿入されるものである。この空気圧弁構造により、弁本体を非常に小型化しながら、実質的に性能を向上させることができる。この空気圧弁の入口及び出口ポートもまた、上述の接続コレット構造を用いて、マニホールドへの接続性、及び弁から、作動される空気圧装置に至る空気ライン（ｐｎｅｕｍａｔｉｃ  ｌｉｎｅｓ）への接続性の両方を向上させる。
【発明の開示】
【０００４】
本発明によれば、マニホールドシステム、特に上記した従来技術の空気圧弁を利用するために適用されるマニホールドシステムは、独自の、プッシュオン、プラグイン式接続及び同様の容易な解除を提供して、道具を何ら用いる必要なしに、マニホールドへの空気接続及び電気接続をともにすばやく確立できる。
【０００５】
本発明のマニホールド取り付けシステムは、特に、上述の半体シェル構造を用いるような、収容弁本体を有するタイプの流体制御弁とともに使用するためのものであり、その弁本体（ｖａｌｖｅ  ｂｏｄｙ）は、流体入口及び出口開孔が設けられたほぼ平坦な取り付け面を備えている。典型的な空気圧弁では、流体入口及び出口開孔は加圧空気の供給及びその排出をそれぞれ行うものである。マニホールドは、複数の弁本体のための取着面（ａｔｔａｃｈｍｅｎｔ  ｆａｃｅ）を有するマニホールド本体（ｍａｎｉｆｏｌｄ  ｂｏｄｙ）を備え、この取着面は、流体入口及び出口コネクタ群（ｆｌｕｉｄ  ｉｎｌｅｔ  ａｎｄ  ｏｕｔｌｅｔ  ｃｏｎｎｅｃｔｏｒ  ｇｒｏｕｐｓ）をそれぞれ有する複数の面部（ｆａｃｅ  ｐｏｒｔｉｏｎｓ）を含んでいる。コネクタ群それぞれが、弁取り付け面及びマニホールド面部（ｍａｎｉｆｏｌｄ  ｆａｃｅ  ｐｏｒｔｉｏｎ）の相対的な、これらの面にほぼ垂直な線に沿った相互接続動作に応じて、１つの弁本体の弁取り付け面の流体入口及び出口開孔に流体接続を確立するために適用される。このシステムは、接続動作に応じて流体接続を完了し、かつ弁本体をマニホールド本体に面と面とを合わせた状態で係合させるための係止位置（ｌｏｃｋｅｄ  ｐｏｓｉｔｉｏｎ）を確立するラッチ機構を備えている。このラッチ機構はまた、手動による偏向に応じてマニホールドから分離し、取り外すために弁本体を解除する。
【０００６】
好ましい実施の態様では、ラッチ機構は、マニホールドの取着面部（ａｔｔａｃｈｍｅｎｔ  ｆａｃｅ  ｐｏｒｔｉｏｎ）にスライド可能に取り付けられた、取着面部の平面内で係止位置と解除位置との間を移動可能なラッチプレートを備えている。ラッチプレートの抜け止めは、係止位置で弁本体のスロットに収容されるように適用され、そして弾性体バイアス装置（ｒｅｓｉｌｉｅｎｔ  ｂｉａｓｉｎｇ  ｄｅｖｉｃｅ）がラッチプレートを係止位置に向かって偏らせて（ｂｉａｓ）、ラッチプレートとマニホールド本体とを相互接続するように作用する。好ましい実施の態様では、マニホールド面部は、スライドプレートが移動するラインに平行に延びる、アンダーカットされた係止面を両側に有するラッチプレート軌道を備え、そして、スライドプレートは、係止面とありつぎ状態で（ｉｎ  ａ  ｄｏｖｅｔａｉｌ  ｃｏｎｎｅｃｔｉｏｎ）スライド可能に係合するよう適用される、相補形の（ｃｏｍｐｌｅｍｅｎｔａｒｙ）傾斜側縁面を有している。
【０００７】
ラッチプレート抜け止めは、ラッチプレートの長さ方向両端から上方に延びる一対のフック部材を有し、弁本体は、接続動作に応じて、ラッチプレートの解除位置で、フック部材と整合（ａｌｉｇｎａｂｌｅ）する一対の係止凹部を備えていて、このフックは、ラッチプレートの係止位置への偏り移動（ｂｉａｓｉｎｇ  ｍｏｖｅｍｅｎｔ）に応じて、弁本体の凹部と抜け止め係合するように移動可能である。好ましくは、バイアス装置は、ラッチプレートの一端と、マニホールド本体の端面との間に保持されている圧縮スプリングを有する。ラッチプレートのフック部材又は弁本体の係止凹部は、傾斜した導入面を有し、この導入面は、接続動作に応じて、バイアス装置に、反バイアス力（ｃｏｕｎｔｅｒ  ｂｉａｓ  ｆｏｒｃｅ）を加えるように作用し、最初にラッチプレートを解除位置に移動させる。
【０００８】
マニホールド本体の取着面部の流体入口及び出口コネクタは、面部にほぼ垂直に延びる一体的な筒状延長部を備えていて、この筒状延長部は、弁本体取り付け面のそれぞれの流体入口及び出口開孔に収容されるように適用される。好ましくは、筒状延長部は、弁本体とマニホールド面部を最初に整合（ａｌｉｇｎｍｅｎｔ）させるために、この抜け止めよりもさらに面部から延びている。弁本体取り付け面はまた、好ましくは、プラグイン式電気コネクタを備え、そして、マニホールド取着面部は電気コネクタ用の相補形のコンタクトスロットを有している。母線体をマニホールド本体内部に取り付けて、マニホールド面部のコンタクトスロットに電気的接続を提供できる。マニホールド本体はまた、一端側に共通流体入口及び出口セクションも有していて、この共通流体入口及び出口セクションは、共通流体供給入口（ｃｏｍｍｏｎ  ｆｌｕｉｄ  ｓｕｐｐｌｙ  ｉｎｌｅｔ）、共通流体排出出口（ｃｏｍｍｏｎ  ｆｌｕｉｄ  ｅｘｈａｕｓｔ  ｏｕｔｌｅｔ）及び前記母線体用の共通コネクタを備えることができる。マニホールド面部の入口及び出口コネクタ群はそれぞれ、供給コネクタ（ｓｕｐｐｌｙ  ｃｏｎｎｅｃｔｏｒ）、排出コネクタ（ｅｘｈａｕｓｔ  ｃｏｎｎｅｃｔｏｒ）及びパイロット供給コネクタ（ｐｉｌｏｔ  ｓｕｐｐｌｙ  ｃｏｎｎｅｃｔｏｒ）を備えていて、マニホールド本体共通セクションは共通パイロット流体供給入口（ｃｏｍｍｏｎ  ｐｉｌｏｔ  ｆｌｕｉｄ  ｓｕｐｐｌｙ  ｉｎｌｅｔ）を有している。
【０００９】
本発明のさまざまな他の目的、特徴および利点は、以下に図面を参照して説明することにより明らかにされる。
【図面の簡単な説明】
【００１０】
本発明を実施するために現在考えられる最良の形態を図面に示す。
【００１１】
図面において：
【図１】本発明のマニホールド及び弁取り付け構成の斜視図である。
【図２】主題発明のマニホールドとともに使用される１タイプの１つの空気圧弁の斜視図である。
【図３】弁のいくつかを取り外した図１の組立体の平面図である。
【図４】図３に示す組立体の右側面図である。
【図４Ａ】図４の一部の詳細である。
【図５】図３に示す組立体の左側面図である。
【図６】切り欠いた弁の部分を有する図３の６−６線の断面図である。
【図７】閉鎖カバープレートを取り除いたマニホールドの底面図である。
【好ましい実施の形態の詳細な説明】
【００１２】
図１は、スペースを節約し、配管を減らす利便性のための従来の積まれた配列（ｓｔａｃｋｅｄ  ａｒｒａｎｇｅｍｅｎｔ）でマニホールドに取り付けられる複数の空気圧弁（ｐｎｅｕｍａｔｉｃ  ｖａｌｖｅｓ）１１用の空気流体分配及び電気接続マニホールド１０を示す。図１に示されているマニホールド１０は、４つの空気圧制御弁（ｐｎｅｕｍａｔｉｃ  ｃｏｎｔｒｏｌ  ｖａｌｖｅｓ）１１を収容でき、それぞれの空気圧制御弁１１が個々にマニホールドに取り付けられる。もちろん、マニホールドは、いくつの弁を取り付けるようにも構成できる。また、図２を参照すると、弁１１は、上記の米国特許で説明されたタイプのものであることができ、２つの鏡像半体からなる弁本体（ｖａｌｖｅ  ｂｏｄｙ）１２を備え、この２つの鏡像半体は、最適に内部流路及びコンポーネントの区画を構成するように成形されていて、２つの半体が超音波溶着される前に、内部のコンポーネントがこの区画内に配置されるが、超音波溶着によって、弁本体は強力に接着され、密封的にシールされて、ファスナー、接着剤、ガスケット及びインサート（ｉｎｓｅｒｔｓ）の必要性は完全になくなる。図に示されている特定の弁１１は、４方向、２位置のダブルソレノイド弁であるが、マニホールド１０では、同じ基本の半体シェル構造を用いたさまざまなタイプの他の弁を用いることもでき、また、いろいろな態様で混在させることができる。
【００１３】
弁本体１２は、空気入口開孔１４及び排気出口開孔１５を有する取り付け面１３を備えている。取り付け面１３はまた、パイロット空気入口開孔１６及びプラグイン式の電気コネクタ１７も備えている。弁本体の隣接前面１８は、上側空気孔及び下側空気孔２０、２１を有し、これらは、特定の弁構成及び作動に基づいて、入口及び／又は出口ポートを構成できる。前面１８はまた、内部ソレノイドのための２位置のオーバーライドスイッチ２２も含んでいる。
【００１４】
マニホールド本体（ｍａｎｉｆｏｌｄ  ｂｏｄｙ）２３は、複数の面部（ｆａｃｅ  ｐｏｒｔｉｏｎｓ）２５を有するほぼ平坦な上側取着面２４を備え、この面部２５に、弁１１がそれぞれの取り付け面１３で取り付けられる。上側取着面２４はまた、面部２５に隣接する共通取り付けセクション２６も含んでいる。それぞれの取着面部２５は、弁本体取り付け面１３の開孔１４、１５及び１６に収容されるように適用される３つの一体型筒状延長部２７を有している。弁本体が所定の位置にあるとき、弁１１内では、内側Ｏリングシールが延長部２７の上端を囲んで密閉係合している。それぞれの面部２５の筒状延長部２７は流体コネクタ群を構成しているが、この流体コネクタ群は、給気コネクタ２８、排気コネクタ３０及びパイロットエアコネクタ３１を有している。面部２５はまた、弁の取り付け面のプラグイン式電気コネクタ１７用のコンタクトスロット３２も含んでいる。
【００１５】
マニホールド本体２３の共通取り付けセクション２６の上面には、共通排出出口ポート３３及び共通パイロット空気入口ポート３４が設けられている。共通取り付けセクション２６の前面３６には、共通給気入口ポート３５が配置されている。従来のＤサブ１５ピンコネクタのような共通電気コネクタ３７もまた、共通取り付けセクション２６の上面に取り付けられている。
【００１６】
また、図６及び図７を参照すると、マニホールド本体２３内部は、共通給気入口３５と給気コネクタ２８を接続する給気チャネル３８、共通排出出口３３と排気コネクタ３０を接続する排気チャネル４０、および共通パイロット空気入口３４とパイロットエアコネクタ３１を接続するパイロット給気チャネル４１を含んでいる。また、母線体（ｂｕｓ  ｂａｒ）４２が、チャネル３８、４０及び４１にほぼ平行に延びるように、マニホールド内部に沿って取り付けられていて、コンタクトスロット３２及び共通コネクタ３７の間を電気的に相互接続している。
【００１７】
空気圧弁１１はそれぞれ、個々にマニホールド１０に、単純にまっすぐ押し込む動作で取り付けられていて、これにより、マニホールドへの、また、マニホールドからの空気接続（ａｉｒ  ｃｏｎｎｅｃｔｉｏｎｓ）を自動的にすべて確立するのに加えて、弁ソレノイドを作動させるための電気接続も自動的に確立している。ラッチ機構は、スプリングバイアス（ｓｐｒｉｎｇ−ｂｉａｓｅｄ）ラッチプレート４３を有し、このラッチプレート４３は、マニホールド本体２３の上面の面部２５それぞれに、スライド可能に取り付けられている。図３から図５も参照すると、ラッチプレート４３はマニホールドの取り付け面部２５のスロット４４内に位置し、スロット４４に沿ってスライドする。スロット４４それぞれは、図５に最もよく示されているように、下側に向かって広がる（ｄｉｖｅｒｇｅｎｔ）係止面４６を形成するようにアンダーカットされた両側の縁面（ｏｐｐｏｓｉｔｅ  ｅｄｇｅ  ｓｕｒｆａｃｅｓ）４５によって画成されている。ラッチプレート本体４７は、平行な縁部材４８を有し、平行な縁部材４８は、開放中央部５０を形成し、前側フック部材５１と後側フック部材５２とで構成された１対の立ち上がりフック部材によってその両端で相互接続されている。前側フック部材５１に隣接して、一体型の下垂面ボタン（ｄｏｗｎｗａｒｄｌｙ  ｄｅｐｅｎｄｉｎｇ  ｆａｃｅ  ｂｕｔｔｏｎ）５３が設けられている。ラッチプレート縁部材４８には、やはり下側に向かって広がる（ｄｉｖｅｒｇｅｎｔ）傾斜側縁面５４が設けられていて、この傾斜側縁面５４はラッチプレート縁面４５の係止面４６と相補形になっている。したがって、ラッチプレート４３はマニホールド面部のスロット４４にありつぎ態様で（ｉｎ  ａ  ｄｏｖｅｔａｉｌ  ｆａｓｈｉｏｎ）挿入されているので、縁部材の方向にはスライドするが、面に対して垂直方向には、スロットからずれないように保持される。さらに、ラッチプレート本体４７はスロット４４の深さと等しい厚さを有しているので、盛り上がった（ｒａｉｓｅｄ）縁面４５及びラッチプレート本体４７の上面は共面をなし、共に弁本体の取り付け面１３を受ける面部２５を形成している。ラッチプレート本体の開放中央部５０は、給気コネクタ２８、排気コネクタ３０及びパイロットエアコネクタ３１を含んだマニホールドからの筒状延長部を収容し、さらに、電気コンタクトスロット３２の入口（ａｃｃｅｓｓ）を提供している。
【００１８】
図６に最もよく示されているように、ラッチプレート面ボタン５３は、ほぼ矩形で、マニホールド本体１２の前面３６の矩形凹部５５に入り込んでいる。圧縮スプリング５６は、一端が凹部５５の壁部のめくら孔５７内に、他端が面ボタン５３の裏側の円筒状突出部５８上に保持されている。圧縮スプリング５６は、ラッチプレート４３を係止位置（ｌｏｃｋｉｎｇ  ｐｏｓｉｔｉｏｎ）に向かって偏らせて（ｂｉａｓｅｓ）いるが、ラッチプレートの側縁面５４の内側縁の一対の内側縁突部６０により、その限界が構成されていて、縁突部は、マニホールドの面の立ち上がる排気コネクタ３０周りのやや高い表面部６２によって形成された当接面６１の横方向両端部と係合している。好ましくは、立ち上がっている給気コネクタ２８及びパイロットエアコネクタ３１もまた、第２の高い表面部６３によって接続される。第１及び第２の高い表面部６２、６３は、スロットの縁面４５及びラッチプレート縁部材４８の上面と共面をなす上面を有している。さらに、表面部６２及び６３の側縁は、ラッチプレート側縁面５４をスロット４４のアンダーカットされた縁面４５とスライド可能に係合した状態に保持する役目をしている。
【００１９】
ラッチプレート４３の前側及び後側フック部材５１、５２は、スプリングバイアス抜け止め（ｓｐｒｉｎｇ−ｂｉａｓｅｄ  ｌｏｃｋｉｎｇ  ｄｅｔｅｎｔｓ）として機能し、弁１１をマニホールドの作動位置に固定し保持する。弁本体１２は、排気出口開孔１５と隣接して取り付け面１３に形成された前側係止凹部６４を有している。凹部６４は、相補形のフック接触面６６と係合する内側接触面６５を有している。弁本体１２の後面６８には、取り付け面１３の後端の真上に、後側係止凹部６７が形成されている。後側係止凹部はまた、後側フック部材５２の下側の、相補形のフック接触面７１と係合させるための内側接触面７０を含んでいる。上記に示したように、ラッチプレートバイアススプリング（ｌａｔｃｈ  ｐｌａｔｅ  ｂｉａｓｉｎｇ  ｓｐｒｉｎｇ）５６は、ラッチプレートを係止位置に偏らせている。前側及び後側フック部材５１、５２それぞれには、下方に傾斜する（ｄｏｗｎｗａｒｄｌｙ  ｓｌｏｐｉｎｇ）導入面７２が設けられている。弁１１をマニホールド１０に取り付けたいときには、取り付け面１３が、弁を取り付けたい位置のマニホールドの面部２５とほぼ平行になるように、かつ、整合する（ａｌｉｇｎｅｄ）ように弁を向けて位置させる。面１３及び２５それぞれに垂直な線に沿って、弁を単純にまっすぐ下側に動かすことにより、取り付けが完了する。最初に、弁をマニホールドに向かって移動させると、立ち上がっている筒状延長部２７が、ガイド又は案内機能を発揮する。そして、前側係止凹部６４の前縁と前側フック部材５１の導入面７２とを接触させ、同時に、弁本体の後側角縁７３を後側フック部材５２の導入面７２に接触させる。弁本体の下方向への接続動作と、前側及び後側それぞれの導入面７２とにより、ラッチプレート４３は、フック接触面６６、７１それぞれが、係止凹部の内側接触面６５、７０それぞれを越えるまで、圧縮スプリング５６の付勢（ｂｉａｓ）に抗して解除位置に向かってスライドし、越えるとただちにバイアススプリング（ｂｉａｓ  ｓｐｒｉｎｇ）の作用によりフックは凹部にスナップ的に係止接触する。また、この接続動作によって、プラグイン式電気コネクタ１７はマニホールド取り付け面部２５のコンタクトスロット３２内に収容される。導入面７２は、フック部材５１及び５２に設ける代わりに、弁本体の前側係止凹部６４の前縁及び後側角縁７３に設けることもできる。マニホールド１０から弁１１を解除して取り外すには、オペレータは単にスプリング５６の付勢に抗して、面ボタン５３を矩形凹部５５の底に達するまで押し、面ボタン５３が底に達するとただちに、フックは係止凹部６４、６７から解除され、弁をまっすぐに（ｄｉｒｅｃｔｌｙ）マニホールドから持ち上げることができる。
【００２０】
弁の前面１８の通気孔２０及び２１には、米国特許５，２２２，７１５号に記載されているタイプのプッシュイン式コレット（ｐｕｓｈ−ｉｎ  ｃｏｌｌｅｔｓ）７４が設けられていることが好ましい。これらのコレットは、作動される装置への接続用のプラスチック製通気チューブの端部を受け取り固定するために適用されるものである。本発明のマニホールド取り付け構成を用いると、弁の取り付け面１３の給気及び排気開孔１４、１５、１６には、プッシュイン式コレット７４を使用する必要がなくなることに注意すべきである。代わりに、弁が他の種類の取り付けシステムに用いられる場合には、マニホールド取り付け面の筒状延長部２７は、コレットの使用のための寸法を有する開孔に適合する段付き構造を含む。
【００２１】
再び図７を参照すると、マニホールド本体２３の開放している下側は、平坦な矩形のカバープレート７８（図６に示す）をマニホールド本体に超音波溶着又はさもなければヒートシール（ｈｅａｔ  ｓｅａｌｅｄ）することにより閉じられ、空気チャネル３８、４０及び４１はすべて完全に密閉され、隔離される。このハウジングにはまた、マニホールドの取り付け用ブラケット又は、ＤＩＮレールクリップ８０のようなクリップを装着するために、内側突起７５を設ける。外側突起７６及び相補形のスロット７７によって、複数のマニホールド１０のエンドツーエンドの相互接続を行なうことができる。
【図１】
2005522652.tif 000003
【図２】
2005522652.tif 000004
【図３】
2005522652.tif 000005
【図４】
2005522652.tif 000006
【図４Ａ】
2005522652.tif 000007
【図５】
2005522652.tif 000008
【図６】
2005522652.tif 000009
【図７】
2005522652.tif 000010
【国際調査報告】
2005522652.tif 000011
2005522652.tif 000012
2005522652.tif 000013